(57)【要約】【課題】  難聴者にも電池残量の程度が認識し易く、円滑に電池交換が行える補聴器を提供する。【解決手段】  電池７の電圧を検出する電圧検出部１１と、この電圧検出部１１が検出した電圧に基づいて電池残量を算出する電池残量算出部１２と、この電池残量算出部１２が算出した電池残量に基づいて発光手段６を点灯制御することにより電池残量の程度を報知する点灯制御部１３を備える。点灯制御部１３は、電源投入時に発光手段６を点灯又は点滅させ、所定時間経過後に発光手段６を消灯させる。【選択図】        図２
2008109244.tif 000002
【特許請求の範囲】
【請求項１】
電池の電圧を検出する電圧検出部と、この電圧検出部が検出した電圧に基づいて電池残量を算出する電池残量算出部と、この電池残量算出部が算出した電池残量に基づいて発光手段を点灯制御することにより電池残量の程度を報知する点灯制御部を備えることを特徴とする補聴器。
【請求項２】
前記点灯制御部は、電源投入時に発光手段を点灯又は点滅させ、所定時間経過後に発光手段を消灯させる請求項１記載の補聴器。
【発明の詳細な説明】
【技術分野】
【０００１】
本発明は、電池を電池ホルダに装填した際に、電池残量を視覚に訴えて装用者に報知する補聴器に関する。
【背景技術】
【０００２】
従来、デジタル補聴器には、電池残量が所定量より少なくなった場合に、電池の交換時期を装用者に知らせるための音声を発する機能を有するものが知られている（例えば、特許文献１参照）。
また、電池を電池ホルダに装填する前に、電池チェッカーを用いて電池残量を確認する場合もある。
【０００３】
【特許文献１】特開平９−１８９９７号公報
【発明の開示】
【発明が解決しようとする課題】
【０００４】
しかし、使用の最中に電池残量が所定量より少ないことを音声で知らされても、電池を交換できない状況では、電池が切れたら補聴器の使用が不能になってしまう。また、電池の交換時期を知らせる音声を発しても、重度の難聴者の場合には、それを認識することができない場合もある。
また、電池チェッカーを用いて電池残量を確認するためには、別途電池チェッカーを所持していなければならない。
【０００５】
本発明は、従来の技術が有するこのような問題点に鑑みてなされたものであり、その目的とするところは、難聴者にも電池残量の程度が認識し易く、円滑に電池交換が行える補聴器を提供しようとするものである。
【課題を解決するための手段】
【０００６】
上記課題を解決すべく請求項１に係る発明は、電池の電圧を検出する電圧検出部と、この電圧検出部が検出した電圧に基づいて電池残量を算出する電池残量算出部と、この電池残量算出部が算出した電池残量に基づいて発光手段を点灯制御することにより電池残量の程度を報知する点灯制御部を備えるものである。
【０００７】
請求項２に係る発明は、請求項１記載の補聴器において、前記点灯制御部は、電源投入時に発光手段を点灯又は点滅させ、所定時間経過後に発光手段を消灯させる。
【発明の効果】
【０００８】
請求項１に係る発明によれば、視覚に訴えて電池残量の程度を報知するので、難聴者にも認識し易い。
【０００９】
請求項２に係る発明によれば、電源投入時に発光手段を点灯又は点滅させ、所定時間経過後に発光手段を消灯させるので、無駄に電池を消耗させない。また、電源投入時に電池残量の程度を報知するので、電池交換を円滑に行える。
【発明を実施するための最良の形態】
【００１０】
以下に本発明の実施の形態を添付図面に基づいて説明する。ここで、図１は本発明に係る補聴器の概要斜視図、図２は同じくブロック構成図、図３は発光手段の点灯制御の説明図である。
【００１１】
本発明に係る補聴器は、図１に示すように、耳かけ形補聴器１であって、補聴器本体２、フック３、チューブ４、耳せん５からなる。補聴器本体２の背面２ａには、発光手段６が取り付けられている。また、電池７は電池ホルダ８に装着されて補聴器本体２に収納される。そして、電池７を電池ホルダ８に装着し、電池ホルダ８を閉じることにより補聴器１の電源が入る。
【００１２】
補聴器本体２には、図２に示すように、補聴処理部１０、電圧検出部１１、電池残量算出部１２、点灯制御部１３で構成される内部回路と、マイクロホン９、イヤホン１４などが収納されている。補聴処理部１０は、マイクロホン９が捉えた音信号を補聴処理してイヤホン１４に出力する。電圧検出部１１は、電池７の電圧を検出する。電池残量算出部１２は、電圧検出部１１が検出した電圧に基づいて電池残量を算出する。点灯制御部１３は、電池残量算出部１２が算出した電池残量に基づいて発光手段６を点灯制御することにより、電池残量の程度を報知する。
【００１３】
以上のように構成された本発明に係る補聴器の動作について説明する。先ず、電池７を電池ホルダ８に装着し、電池ホルダ８を閉じると、電源が入って内部回路の補聴処理部１０、電圧検出部１１、電池残量算出部１２、点灯制御部１３が起動し、耳かけ形補聴器１が作動を開始する。または、電源が入って内部回路の電圧検出部１１、電池残量算出部１２、点灯制御部１３が起動した後、装用するまでハウリングを防止するために５〜１０秒後に補聴処理部１０が起動してもよい。
【００１４】
そして、発光手段６が、図３（ａ）に示すように、ある色（例えば、緑色又は赤色）で１個の発光ダイオード（ＬＥＤ）２０である場合には、次のように電池７の電池残量の程度を報知する。電池残量が十分な場合には、発光ダイオード（ＬＥＤ）２０が５秒〜１０秒間点灯した後に消灯する。一方、電池残量が不十分な場合には、発光ダイオード（ＬＥＤ）２０が５秒〜１０秒間点滅した後に消灯する。
【００１５】
次に、発光手段６が、図３（ｂ）に示すように、緑色と赤色の発光ダイオード（ＬＥＤ）２１，２２である場合には、次のように電池７の電池残量の程度を報知する。電池残量が十分な場合には、緑色の発光ダイオード（ＬＥＤ）２１が５秒〜１０秒間点灯した後に消灯する。一方、電池残量が不十分な場合には、赤色の発光ダイオード（ＬＥＤ）２２が５秒〜１０秒間点灯した後に消灯する。
【００１６】
次に、発光手段６が、図３（ｃ）に示すように、ある色（例えば、緑色又は赤色）で４個の発光ダイオード（ＬＥＤ）２３，２４，２５，２６を直列に配列してレベルメータとしている場合には、電池残量に応じた個数のＬＥＤを５秒〜１０秒間点灯した後に消灯する。例えば、電池残量が十分な場合には、全て（４個）の発光ダイオード（ＬＥＤ）２３，２４，２５，２６を５秒〜１０秒間点灯した後に消灯する。一方、電池残量が不十分な場合には、全て（４個）の発光ダイオード（ＬＥＤ）２３，２４，２５，２６を点灯させない。また、電池残量が半分程度であれば、２個の発光ダイオード（ＬＥＤ）２３，２４を５秒〜１０秒間点灯した後に消灯する。
【００１７】
本発明の実施の形態では、発光手段６の取り付け位置を補聴器本体２の背面２ａにしたが、背面２ａに限らず側面２ｂでも、何処でもよい。また、発光手段６の点灯制御の方法は、上記した方法に限らず、点灯及び点滅のパターンや色の組合せは自由に設定できる。更に、点灯及び点滅時間も、上記した時間に限らず、使用者が認知できる程度の時間であればよく、自由に設定できる。
また、本発明の実施の形態では、耳かけ形補聴器に適用したが、耳穴形補聴器、ポケット形補聴器でも適用することが可能である。
【産業上の利用可能性】
【００１８】
本発明によれば、視覚に訴えて電池残量の程度を報知するので、難聴者にも認識し易く、電池交換が円滑に行え、使い勝手のよい補聴器が提供され、補聴器の需要拡大に寄与することができる。
【図面の簡単な説明】
【００１９】
【図１】本発明に係る補聴器の概要斜視図
【図２】本発明に係る補聴器のブロック構成図
【図３】発光手段の点灯制御の説明図で、（ａ）は１個の発光ダイオード（ＬＥＤ）の場合、（ｂ）は緑色と赤色の発光ダイオード（ＬＥＤ）の場合、（ｃ）は４個の発光ダイオード（ＬＥＤ）を直列に配列した場合
【符号の説明】
【００２０】
１…耳かけ形補聴器、２…補聴器本体、３…フック、４…チューブ、５…耳せん、６…発光手段、７…電池、８…電池ホルダ、９…マイクロホン、１０…補聴処理部、１１…電圧検出部、１２…電池残量算出部、１３…点灯制御部、１４…イヤホン、２０〜２６…発光ダイオード（ＬＥＤ）。
【図１】
2008109244.tif 000003
【図２】
2008109244.tif 000004
【図３】
2008109244.tif 000005